【事件の表示】
　平成　４年特許願第２２３４７７号「穿孔具スタンド」拒絶査定に対する審判事件［平成　６年　２月２２日出願公開、特開平　６−　４７６０９］について、次のとおり審決する。
【結　論】
　本件審判の請求は、成り立たない。
【理　由】
１．手続の経緯・本願発明
　本願は、平成４年７月３０日の出願であって、その請求項１に係る発明（以下「本願発明」という。）は、平成１３年１２月５日付手続補正書により補正された明細書及び出願当初の図面からみて、その請求項１に記載された次のとおりのものと認める。
「　　【請求項１】　固定ポール（３）と、
　その固定ポール（３）にスライド自在に連結された伸長ポール（４）と、
　前記伸長ポール（４）を伸長方向に押圧する押圧手段（５）と、
　前記伸長ポール（４）の上部に設けられた穿孔具固定手段（６）とを備えた穿孔具スタンドにおいて、
　前記押圧手段（５）は、圧縮シリンダ（８）と操作レバー（１２）を有し、
　前記圧縮シリンダ（８）は、その一端側が伸長ポール（４）に第一枢着点Ｐで、他端側が操作レバー（１２）の一端側に第二枢着点Ｑでそれぞれ回動自在に連結され、
　前記操作レバー（１２）は、中間部が前記固定ポール（３）に第三枢着点Ｒで回動自在に連結されると共に、その他端側に握り部（５６）が設けられ、
　前記操作レバー（１２）の前記握り部（５６）を前記第三枢着点Ｒの回りの一方方向へ回動して前記圧縮シリンダ（８）を伸長したとき、前記第二枢着点Ｑが、前記第一枢着点Ｐと前記第三枢着点Ｒとを結ぶ仮想線ａに対して固定ポール（３）から離れる外側に位置して、その第二枢着点Ｑに連結された前記圧縮シリンダ（８）と前記操作レバー（１２）とが、くの字状に折り曲げられ、
　前記操作レバー（１２）の前記握り部（５６）を前記第三枢着点Ｒの回りに、前記一方方向とは逆向きの方向へ回動して前記圧縮シリンダ（８）を圧縮したとき、前記第二枢着点Ｑが、前記第一枢着点Ｐと、前記第三枢着点Ｒとを結ぶ仮想線ａを越えて、その仮想線ａに対して内側の前記固定ポール（３）側に接近して、その第二枢着点Ｑに連結された前記圧縮シリンダ（８）と前記操作レバー（１２）とで、逆くの字状に折り曲げられ、その逆くの字の状態をロックして保持するように、前記操作レバー（１２）と固定ポール（３）との間または、固定ポール（３）と前記逆くの字状の部分との間に、自己保持手段（５７）が設けられ、
　穿孔に伴い、前記逆くの字状の状態からさらに前記操作レバー（１２）を回動することなく、前記圧縮シリンダ（８）の前記圧縮時の圧縮力のみにより、その圧縮シリンダ（８）を伸長するように構成したことを特徴とする穿孔具スタンド。」
２．先願明細書に記載された考案について
　これに対して、原査定の拒絶の理由に引用された、本願の日前の他の実用新案登録出願であって、その出願後に出願公開された実願平３−５７５２７号（実開平５−９８１０号参照、以下「先願」という。）の願書に最初に添付した明細書及び図面（以下「先願明細書等」という。）には、次の事項が記載されている。
（１）「【産業上の利用分野】
　本考案は天井等の壁面に、支持ボルト（例えば、コンクリートアンカー）用の小孔を穿設するドリル用のスタンドに関するものである。」（第５頁第３〜５行）
（２）「床面に立設（衝止）される 支柱と、
　この支柱に昇降自在に設けられた入れ子式の中間支柱と、
　この中間支柱に伸縮自在に設けられ、かつ当該中間支柱とともに昇降する入れ子式のドリル取付け用の先端支柱と、
　この先端支柱に設けられ、前記中間支柱の昇降を介して上下動する・・・ドリルと、
　前記中間支柱の昇降を司り、かつ前記ドリルのきりを天井面等の壁面内に侵入させるダブルトグル方式の操作手段と、
　この操作手段に連設され、かつ前記ダブルトグル方式を作動するハンドルと、
　で構成されるドリルスタンドである。」（第６頁第１８〜２７行）
（３）「ハンドルを押し下げると、先ず、下側に位置する第１トグルが作動して、その第３リンクの先端部が枢着一（当審注：「位置」の誤記である。）を、支点として上方に移行（揺動、以下同じ）する。
　　　【００１９】
　この第３リンク先端部の上方への移行を介して、空圧シリンダー、油圧シリンダー等伸縮手段（以下、原則として、伸縮手段とする。）が押し上げられ、上側に位置する第２トグルを作動させる。・・・第２トグルの・・・第５リンク及び第４リンクを介して、支柱に昇降自在に挿設されている中間支柱が上昇する。・・・同時に先端支柱及びこの先端支柱に取付けられているドリルを上昇させる。
　　　【００２４】
　その後、ひき続いて、ハンドルを押し下げることにより、前述の状態より、さらに第５リンク及び第４リンクが伸長され、もって、中間支柱がさらに上昇する。
　　　【００２５】
　よって、この中間支柱の上昇を介して、先端支柱及びきりを備えたドリルが同時に上昇する。
　　　【００２６】
　このようにして上昇するドリルに設けられたきりが、所定の位置に上昇した時点、通常は壁面に衝止した時、当該きりに正回転を付与し、この正回転介して、壁面に、小孔が穿設される。」（第７頁第９行〜第８頁第１０行）
（４）「１０は第１トグルを示しており、この第１トグル１０は、支柱４の中央部に固止した取付腕１１に枢着したハンドル１２を備えた一対の第１リンク１３と、この第１リンク１３にその一端を枢着し、後述する第３リンクにその他端を枢着した一対の第２リンク１４と、この第２リンク１４にその一端を枢着し、かつ支柱４に固止した取付腕１５にその中央部を枢着し、しかもその自由端１６ｂが支柱４の反対側に位置する一対の第３リンク１６と、で構成されている。
　　　【００４６】
　尚第１リンク１３の枢着位置１３ａと、第３リンク１６の枢着位置１６ａとは、支柱４を中心として、それぞれ反対側になる構成となっている。
　　　【００４７】
　したがって、ハンドル１２を押し下げることにより、第１リンク１３が・・・第２リンク１４を押し下げる。
　　　【００４８】
　この第２リンク１４の押し下げを介して、第３リンク１６の枢着側１６ｃが押し下げられるとともに、その枢着位置１６ａを支点として、自由端１６ｂが押し上げられる（上方に移行する）構成となっている。
　　　【００４９】
　そして、ハンドル１２の引き上げ（前記押し下げ状態より、ハンドル１２を引き上げることを云う。以下同じ）を介して、各部材は、それぞれ反対の動きをする。」（第１０頁第１３行〜第１１頁第４行）
（５）「２０は第２トグルを示しており、この第２トグル２０は中間支柱５の先端に固止された取付腕２１に枢着した、かつ前記第３リンク１６の自由端１６ｃの上方に位置する一対の第５リンク２２と、この第５リンク２２にその一端を枢着し、かつ支柱４の上端に固止した取付腕２３であって、この取付腕２３の前記ハンドル側の枢着部位２４ａにその他端を枢着した一対の第４リンク２４と、で構成されている。
　　　　【００５１】
　尚第５リンク２２の枢着部位２２ａと、第４リンク２４の枢着部位２４ａとは、支柱４を中心として、それぞれ反対側に位置し、かつ第５リンク２２と第４リンクとの枢着部が、前記第３リンク１６の自由端１６ｃに位置する構成となっている。」（第１１頁第６〜１６行）
（６）「尚３０は、当該第２トグル２０の第５リンク２２の中間部位と、前記第１トグル１０の第３リンク１６の自由端１６ｂと、の間に差渡した空圧シリンダー、油圧シリンダー等の伸縮手段である。
　　　【００５３】
　そして、この伸縮手段３０には、二つの目的を有する。
　　　【００５４】
　具体的には、第１トグル１０の動きを第２トグル２０に伝える第一の目的と、支柱群とドリル３１のきり３２とを介して、床面と壁面との間にドリルスタント（当審注：「ドリルスタンド」の誤記である。）を立設した後、この伸縮手段３０を介して、更に第２トグル２０を操作し、きり３２を壁面中に侵入させる第二の目的と、を有する。」（第１１頁第１８〜２７行）
（７）「また図中３４はドリル３１取付け用の取付腕である。」（第１２頁第１８行）
（８）ドリルが上昇限にある状態では、伸縮手段３０は、その一端側が中間支柱を挟んで枢着された一対の第５リンク２２の枢着軸で、他端側が支柱４を挟んで枢着位置１６ａで回動自在に枢着された一対の第３リンク１６の自由端１６ｂの枢着軸でそれぞれ回動自在に連結されていて、前記圧縮シリンダの前記第３リンク１６の自由端１６ｂの枢着軸は、前記伸縮手段３０の第５リンク２２に連結された枢着点と前記第３リンク１６の枢着位置１６ａを結ぶ仮想線を越えて支柱４に接近していること。（第２図参照）
　上記記載事項（３）及び（６）から、伸縮手段３０は、圧縮シリンダであるといえるので、先願明細書には次の考案（以下「先願考案」という。）が記載されていると認める。
　支柱４と、
　その支柱４にスライド自在に連結された中間支柱５及び先端支柱６と、
　中間支柱５及び先端支柱６を伸長方向に押圧する押圧手段と、
　前記中間支柱５及び先端支柱６の上部に設けられたドリル取付け用の取付腕３４とを備えたドリルスタンドにおいて、
　前記押圧手段は、圧縮シリンダと第１トグル１０を構成する一対の第３リンクとを有し、
　前記圧縮シリンダは、その一端側が中間支柱５及び先端支柱６に第２トグルを構成する一対の第５リンク２２の枢着軸で、他端側が第１トグル１０を構成する一対の第３リンク１６の自由端１６ｂの枢着軸でそれぞれ回動自在に連結され、
　前記第１トグル１０の一対の第３リンク１６は、中間部が前記支柱４に枢着位置１６ａで回動自在に連結されると共に、前記第１トグル１０の他側にハンドル１２が設けられ、
　前記第１トグル１０のハンドル１２を一方方向へ回動することにより前記第３リンク１６を前記枢着位置１６ａの回りの一方方向へ回動して前記圧縮シリンダを伸長したとき、前記第３リンク１６の自由端１６ｂが、前記第５リンク２２の枢着点と前記第３リンクの枢着位置１６ａとを結ぶ仮想線に対して支柱４から離れる外側に位置して、その第３リンク１６の自由端１６ｂに連結された前記圧縮シリンダと前記第３リンク１６とが、くの字状に折り曲げられ、
　前記第１トグル１０のハンドル１２を前記一方方向とは逆向きの方向へ回動することにより前記第３リンク１６を前記枢着位置１６ａの回りに、前記一方方向とは逆向きの方向へ回動して前記圧縮シリンダを圧縮したとき、前記第３リンク１６の自由端１６ｂが、前記第５リンク２２の枢着点と前記第３リンクの枢着位置１６ａとを結ぶ仮想線を越えて、その仮想線に対して内側の前記支柱４側に接近して、第３リンク１６の自由端１６ｂに連結された前記圧縮シリンダと第１トグル１０の前記第３リンク１６とで、逆くの字状に折り曲げられるように構成したドリルスタンド。
３．対比
　本願発明と先願考案とを対比すると、先願考案の「支柱４」は本願発明の「固定ポール（３０）」に、以下同様に「中間支柱５及び先端支柱６」は「伸長ポール（４）」に、「ドリル３１取付け用の取付腕３４」は「穿孔具固定手段（６）」に、「第１トグル１０を構成する一対の第３リンク１６」は「操作レバー（１２）」に、「第２トグルを２０を構成する第５リンク２２の枢着軸」は「第一枢着点Ｐ」に、「第１トグル１０を構成する一対の第３リンクの自由端１６ｂの枢着軸」は「第二枢着点Ｑ」に、「第１トグル１０を構成する一対の第３リンク１６の枢着位置１６ａ」は「第三枢着点Ｒ」に、「ハンドル１２」は「握り部（５６）」に、「ドリルスタンド」は「穿孔具スタンド」に、それぞれ相当するので、両者は、
　固定ポールと、
　その固定ポールにスライド自在に連結された伸長ポールと、
　前記伸長ポールを伸長方向に押圧する押圧手段と、
　前記伸長ポール上部に設けられた穿孔具固定手段とを備えた穿孔具スタンドにおいて、
　前記押圧手段は、圧縮シリンダと操作レバーとを有し、
　前記圧縮シリンダは、その一端側が伸長ポールに第一枢着点Ｐで、他端側が操作レバーの一端側に第二枢着点Ｑでそれぞれ回動自在に連結され、
　前記操作レバーは、中間部が前記固定ポールに第三枢着点Ｒで回動自在に連結されると共に、その他側に握り部が設けられ、
　前記操作レバーの前記握り部を前記第三枢着点Ｒの回りの一方方向へ回動して前記圧縮シリンダを伸長したとき、前記第二枢着点Ｑが、前記第１枢着点Ｐと前記第三枢着点Ｒとを結ぶ仮想線ａに対して固定ポールから離れる外側に位置して、その第二枢着点Ｑに連結された前記圧縮シリンダと前記操作レバーとが、くの字状に折り曲げられ、
　前記操作レバーの前記握り部を前記第三枢着点Ｒの回りに、前記一方方向とは逆向きの方向へ回動して前記圧縮シリンダを圧縮したとき、前記第二枢着点Ｑが、前記第一枢着点Ｐと、前記第三枢着点Ｒとを結ぶ仮想線ａを越えて、その仮想線ａに対して、内側の前記固定ポールａ側に接近して、その第二枢着点Ｑに連結された前記圧縮シリンダと前記操作レバーとで、逆くの字状に折り曲げられた穿孔具スタンドである点で一致し、次の点で一応相違している。
ａ．相違点１：
　本願発明では、操作レバーの他端側に握り部が設けられているのに対して、先願考案では、第１トグルを構成する操作レバーの他側に握り部が設けられている点。
ｂ．相違点２：
　前記圧縮シリンダと前記操作レバーとが、逆くの字状に折り曲げられた際、本願発明では、前記逆くの字の状態をロックして保持するように、前記操作レバーと固定ポールとの間または、固定ポールと前記逆くの字状の部分との間に、自己保持手段が設けられているのに対して、先願考案では、特にそのような手段が設けられていない点。
ｃ．相違点３：
　本願発明では、穿孔に伴い、逆くの字状の状態からさらに操作レバーを回動することなく、圧縮シリンダの圧縮時の圧縮力のみにより、その圧縮シリンダを伸長するように構成されているのに対して、先願考案では、そのように明示されてない点。
４．当審の判断
　上記相違点１については、トグル機構は倍力するためのものであることは、先願考案の出願時においては周知技術であって、本願発明のように、握り部を操作レバーの他端側に直接設けるか、又は、先願考案のように、握り部を、それぞれ一対の第１リンクと第２リンクと操作レバーとでトグル機構を構成する第１トグルの他側に設けるかは、必要とする押圧力の大きさに応じて当業者が適宜なし得る設計上の選択的事項にすぎない。
　上記相違点２については、本願の補正された明細書の段落【００１４】には、「このようにして穿孔具スタンド１を次に図１のように床２上の所定位置に立設し、次いで操作レバー１２を時計方向に操作し、その第二レバー１１に設けたストッパー１９が図１に示すように固定ポール３の両側を通過し、自己保持手段５７が固定ポール３に当接するまで回動する。この操作により操作レバー１２は図１の状態にロックされる。即ち、操作レバー１２の先端の第二枢着点Ｑが、第一枢着点Ｐと第三枢着点Ｒとを結ぶ仮想線ａを越えて、自己保持手段５７が固定ポール３の外面に当接すると、操作レバー１２は図１の状態から右回転か（当審注：「右回転が」の誤記である。）阻止される。」と記載されていることからみて、本願発明の「自己保持手段５７」は、固定ポールに当接することによって、逆くの字状の状態を保持する機能を有する単なる「ストッパー」にすぎないものと認める。そして、先願考案においては、前記記載事項（７）から、圧縮シリンダと操作レバーとは逆くの字状に折り曲げられたときに、第２枢着点Ｑである枢着軸は固定ポールに当接してストッパーとして機能することは、明らかであって、本願発明のように自己保持手段を設けることにより新たな効果を奏するものでもない。
　上記相違点３については、相違点２についての判断で示したように、先願考案も圧縮シリンダと操作レバーとは逆くの字状に折り曲げられたときに、第２枢着点Ｑである枢着軸は固定ポールに当接するように構成されている以上、さらに操作レバーを回動することなく、圧縮シリンダの圧縮時の圧縮力のみにより、その圧縮シリンダが伸長されることは自明である。
　したがって、上記各相違点は格別なものでなく、本願発明と先願考案とは実質的に同一である。
５．結び
　このように、本願発明は、先願考案と同一であり、しかも、本願発明の発明者が上記先願考案をした者と同一であるとも、また、本願出願時に、その出願人が先願の出願人と同一であるとも認められないので、本願発明は、特許法第２９条の２第１項の規定により特許を受けることができない。
　よって、結論のとおり審決する。